(57)【要約】【課題】本発明は、サーバーをキャビネットに簡便に取り付けることができるサーバーケースを提供することを目的とする。【解決手段】本発明に係るサーバーケースは、上板と、前記上板に対向する下板と、前記上板と前記下板との間に接続され、且つ互いに対向する２つの側板と、を備え、前記上板の前記側板に近い両側には、前記側板の長手方向に沿って延在するガイドスロットが設けられ、前記下板の前記側板に近い両側には、前記ガイドスロットの長手方向に沿って延在するガイド部材が突出され、前記ガイド部材の位置と前記ガイドスロットの位置は、前記上板に直交する方向に沿って互いに対応し、前記ガイド部材の幅は前記ガイドスロットの幅を超えない。【選択図】図３
2011199281.tif 000002
【特許請求の範囲】
【請求項１】
上板と、
前記上板に対向する下板と、
前記上板と前記下板との間に接続され、且つ互いに対向する２つの側板と、
を備えてなるサーバーケースであって、
前記上板の前記側板に近い両側には、前記側板の長手方向に沿って延在するガイドスロットが設けられ、前記下板の前記側板に近い両側には、前記ガイドスロットの長手方向に沿って延在するガイド部材が突出し、前記ガイド部材の位置と前記ガイドスロットの位置とは、前記上板に直交する方向に沿って互いに対応し、前記ガイド部材の幅は前記ガイドスロットの幅を超えないことを特徴とするサーバーケース。
【請求項２】
前記上板の前記側板に近い末端が下方に曲げられてなる断面Ｕ字状の湾曲部が前記ガイドスロットを構成することを特徴とする請求項１に記載のサーバーケース。
【請求項３】
前記上板の前記側板に近い末端が下方に曲げられてなる断面Ｌ字状の湾曲部が前記側板とともに前記ガイドスロットを構成することを特徴とする請求項１に記載のサーバーケース。
【請求項４】
前記側板の頂端が前記上板に向かって下方に曲げられてなる断面Ｌ字状の湾曲部が前記上板とともに前記ガイドスロットを構成することを特徴とする請求項１に記載のサーバーケース。
【請求項５】
前記上板は、前記側板から離間しており、前記側板の頂端は、前記上板に向かって曲げられて延在部を形成し、前記上板と前記側板の延在部とが離間してガイドスロットを形成することを特徴とする請求項１に記載のサーバーケース。
【発明の詳細な説明】
【技術分野】
【０００１】
本発明は、サーバーケースに関するものであって、特にガイド構造を有するサーバーケースに関するものである。
【背景技術】
【０００２】
情報技術の発展に伴って、知識経済も増長し、データを保存及び計算するために、各種のデータ保存センター及びデータ計算センターを確立した。複数のサーバーを１つのキャビネットに装着すると、空間を節約できるばかりでなく、簡便に管理することができ、また複数のサーバーが協同して作動するため、多数の計算項目を実行することができる。従って、サーバーキャビネットは、データ保存センター及びデータ計算センターを確立する時に広く応用される。
【０００３】
サーバーをキャビネットに装着する方式は以下の二種がある。第一種の方式では、ガイドレールの両端をそれぞれキャビネット及びサーバーに取り付けて、サーバーをキャビネットに装着する際、ガードレールによってサーバーをキャビネットに推進する。第二種の方式では、サーバーをキャビネットに挿入してから、ねじ又は他の固定部材でサーバーの前後両側をキャビネットの前後支持柱に固定する。第二種の方式では、ガイドレールを省略することができるが、サーバーをキャビネットに装着する前に、サーバーの取付位置を決めなければならず、且つサーバーをキャビネットに挿入する際、キャビネットの位置の偏りを避けるために、二人の操作員が一緒に協力するか又は他の設備を必要とするため、サーバーをキャビネットに装着する操作が煩雑である。
【発明の概要】
【発明が解決しようとする課題】
【０００４】
本発明の目的は、前記課題を解決し、サーバーをキャビネットに簡便に取り付けることができるサーバーケースを提供することである。
【課題を解決するための手段】
【０００５】
本発明に係るサーバーケースは、上板と、前記上板に対向する下板と、前記上板と前記下板との間に接続され、且つ互いに対向する２つの側板と、を備え、前記上板の前記側板に近い両側には、前記側板の長手方向に沿って延在するガイドスロットが設けられ、前記下板の前記側板に近い両側には、前記ガイドスロットの長手方向に沿って延在するガイド部材が突出され、前記ガイド部材の位置と前記ガイドスロットの位置は、前記上板に直交する方向に沿って互いに対応し、前記ガイド部材の幅は前記ガイドスロットの幅を超えない。
【発明の効果】
【０００６】
本発明のサーバーケースには、ガイドスロット及びガイド部材が設けられているため、前記サーバーケースを採用する隣り合う２つのサーバーは、隣り合う２つの前記サーバーケースのガイドスロットとガイド部材との係合によって、キャビネットに簡便に取り付けることができる。
【図面の簡単な説明】
【０００７】
【図１】本発明の実施形態に係るサーバーケースを採用するサーバーとキャビネットの立体分解図である。
【図２】図１に示すサーバーケースの立体拡大図である。
【図３】図２に示すサーバーケースのＩＩＩ部分の拡大図である。
【図４】図２に示すサーバーケースの部分断面図である。
【図５】図１に示すサーバーケースの別の視角からの立体分解図である。
【図６】図５に示すサーバーケースのＶＩ部分の拡大図である。
【図７】本発明の他の実施形態に係わるサーバーケースのガイドスロットを示す図である。
【図８】本発明の他の実施形態に係わるサーバーケースのガイドスロットを示す図である。
【図９】本発明の他の実施形態に係わるサーバーケースのガイドスロットを示す図である。
【図１０】本発明の他の実施形態に係わるサーバーケースのガイド部材を示す図である。
【図１１】本発明の他の実施形態に係わるサーバーケースのガイド部材を示す図である。
【発明を実施するための最良の形態】
【０００８】
以下、図面を参照して、本発明の実施形態について説明する。
【０００９】
図１を参照すると、本発明の実施形態に係るサーバーケース１０を採用するサーバーは、キャビネット１００に簡便に取り付けることができる。
【００１０】
図２及び図４を参照すると、本発明の実施形態に係わるサーバーケース１０は、上板１２及び前記上板１２の左右両側に位置する２つの側板１４を備える。２つの前記側板１４に近い前記上板１２の両側は、それぞれ下方に曲げられて断面Ｌ字状の湾曲部１２２を形成する。前記湾曲部１２２は前記側板１４とともに断面Ｕ字状のガイドスロット２０を形成する。前記ガイドスロット２０は、前記側板１４に平行し且つ前記側板１４の長手方向に沿って延在する。前記側板１４の頂端は前記上板１２に向かって曲げられて、前記ガイドスロット２０の頂部の幅を制御するために用いられる延在部１４２を形成する。
【００１１】
図５〜図６を参照すると、前記サーバーケース１０は、前記上板１２に対向する下板１６をさらに備える。前記側板１４に近い前記下板１６の両側には、それぞれ２つの固定部１６４が設けられる。前記下板１６の前記固定部１６４の両側には、２つのＬ字状の開口１６５が設けられる。各々の固定部１６４には、１つのアーチ形のガイド部材１６６が装着される。前記ガイド部材１６６の両端には、２つの固定端１６６２が設けられる。前記固定端１６６２は、前記Ｌ字状の開口１６５に沿って前記下板１６内に係合して、前記ガイド部材１６６を前記固定部１６４に係合させる。前記ガイド部材１６６は、前記下板１６の表面から突出している。前記ガイド部材１６６は、前記ガイドスロット２０の長手方向に沿って延在し、前記ガイド部材１６６の幅は、前記ガイドスロット２０の幅を超えない。前記ガイド部材１６６の位置と前記ガイドスロット２０の位置は、前記上板１２に直交する方向に沿って互いに対応する。
【００１２】
第一サーバーを装着した前記サーバーケース１０を前記キャビネット１００に取り付けてから、第二サーバーを装着した前記サーバーケース１０の下板１６のガイド部材１６６を前記第一サーバーを装着した前記サーバーケース１０の上板１２のガイドスロット２０に沿ってスライドさせて、前記第二サーバーを装着した前記サーバーケース１０を前記キャビネット１００に取り付ける際に、位置の偏りが発生しない。
【００１３】
図７〜図９を参照すると、本発明の他の実施形態に係わるサーバーケースにおいて、ガイドスロットは他の構造を有する。図７に示されたように、前記上板１２は、前記側板１４から離れており、前記側板１４の頂端は前記上板１２に向かって下方に曲げられて断面Ｌ字状の湾曲部１４３を形成し、前記湾曲部１４３は、前記上板１２とともに断面Ｕ字状のガイドスロット２１を形成する。図８に示されたように、前記上板１２の前記側板１４に近い末端が下方に曲げられてなる断面Ｕ字状の湾曲部１２３が直接にガイドスロット２２を形成する。図９に示されたように、前記上板１２は、前記側板１４から離れており、前記側板１４の頂端は前記上板１２に向かって曲げられて延在部１４２を形成し、前記上板１２と前記側板１４の延在部１４２とが離間してガイドスロット２３を形成する。
【００１４】
図１０及び図１１を参照すると、本発明の他の実施形態に係わるサーバーケースにおいて、ガイド部材は他の構造を有する。図１０に示されたように、前記下板１６に対してプレス加工して、前記下板１６から突出するアーチ形のガイド部材１６７を形成し、前記ガイド部材１６７と前記下板１６を一体成形する。または図１１に示されたように、前記下板１６を外側に突出させて中空円筒形のガイド部材１６８を形成する。
【００１５】
本発明の他の実施形態に係わるサーバーケースにおいて、前記上板１２にガイド部材を形成し、前記下板１６にガイドスロットを形成することができる。
【００１６】
本発明のサーバーケース１０は、実際の需要によって、上述のガイドスロットの中のいずれかの一種及び上述のガイド部材の中のいずれかの一種を採用することができる。
【００１７】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲によって特定される。
【符号の説明】
【００１８】
１０  サーバーケース
１２  上板
１４  側板
１６  下板
２０，２１，２２，２３  ガイドスロット
１００  キャビネット
１２２，１２３，１４３  湾曲部
１４２  延在部
１６４  固定部
１６５  開口
１６６，１６７，１６８  ガイド部材
１６６２  固定端
【図１】
2011199281.tif 000003
【図２】
2011199281.tif 000004
【図３】
2011199281.tif 000005
【図４】
2011199281.tif 000006
【図５】
2011199281.tif 000007
【図６】
2011199281.tif 000008
【図７】
2011199281.tif 000009
【図８】
2011199281.tif 000010
【図９】
2011199281.tif 000011
【図１０】
2011199281.tif 000012
【図１１】
2011199281.tif 000013